(57)【要約】【課題】電解水ミストによる除菌や脱臭の機能を扇風機に持たせるとともに、電解水ミストを速やかに室内に行き渡らせることができるようにする。【解決手段】扇風機１の前ガード９のセンターリム９ａに電解水ミスト発生器１０Ａが取り付けられる。電解水ミスト発生器１０Ａは、水槽１２と、水槽１２内の水を電解水とする電極１４と、水槽１２内の電解水をミスト化する超音波振動子１８を含む。音波振動子１８はメッシュ状であり、当該超音波振動子に、水槽１２から電解水を吸い上げるウィック１９を接触させる。電解水ミスト発生器１０Ａは前ガード９にねじ９Ｃで固定され、その動作電流は扇風機１から供給される。超音波振動子１８が生成した電解水ミストはミスト放出口１７から放出され、ファン７が送り出す風に混じる。【選択図】図１
2011137396.tif 000002
【特許請求の範囲】
【請求項１】
前ガードのセンターリムに電解水ミスト発生器を取り付けたことを特徴とする扇風機。
【請求項２】
前記電解水ミスト発生器は、水槽と、前記水槽内の水を電解水とする電極と、前記水槽内の電解水をミスト化する超音波振動子を含むことを特徴とする請求項１に記載の扇風機。
【請求項３】
前記超音波振動子はメッシュ状であり、当該超音波振動子に、前記水槽から電解水を吸い上げるウィックを接触させることを特徴とする請求項２に記載の扇風機。
【請求項４】
前記電解水ミスト発生器は前記前ガードにねじで固定され、その動作電流は当該扇風機から供給されることを特徴とする請求項２または３に記載の扇風機。
【請求項５】
前記電解水ミスト発生器は内蔵電池を電源とすることを特徴とする請求項２または３に記載の扇風機。
【請求項６】
前記電解水ミスト発生器は前記前ガードに着脱自在であることを特徴とする請求項５に記載の扇風機。
【請求項７】
前記電解水ミスト発生器の筐体は、それを平面上に安定して立てることができる底面を有することを特徴とする請求項６に記載の扇風機。
【請求項８】
前記前ガードには、前記電解水ミスト発生器の取り外し跡がそのまま開口部となるのを防ぐカバーが設けられていることを特徴とする請求項６または７に記載の扇風機。
【請求項９】
前記電解水ミスト発生器は当該扇風機のリモートコントローラで動作制御されることを特徴とする請求項２から８のいずれか１項に記載の扇風機。
【請求項１０】
前記電解水ミスト発生器は、電解水を貯める水槽と、下部を前記水槽内の電解水に浸し、上部を当該扇風機の送風路中に置いた状態で回転自在に保持されている多孔ディスクと、当該扇風機の送風を受けて前記多孔ディスクに回転力を与える風車を含むことを特徴とする請求項１に記載の扇風機。
【請求項１１】
前記電解水ミスト発生器の正面形状を略円形にしたことを特徴とする請求項１から１０のいずれか１項に記載の扇風機。
【発明の詳細な説明】
【技術分野】
【０００１】
本発明は扇風機に関する。
【背景技術】
【０００２】
扇風機に、送風機能だけでなく、除菌や脱臭の機能も持たせようという考えは、これまでにも存在した。その例を特許文献１に見ることができる。
【０００３】
特許文献１には、ＯＨラジカルを含有するピコメートルサイズのミストを発生するミスト発生器を送風体の支柱に設けた扇風機が記載されている。
【０００４】
室内空気の除菌や脱臭のため、電解水のミストを用いることも行われている。特許文献２には、空気清浄機内で清浄化された空気を用いて電解水のミストを放散させる空気清浄機が記載されている。
【先行技術文献】
【特許文献】
【０００５】
【特許文献１】特開２００９−７９６５号公報（国際特許分類：Ｆ０４Ｄ２５／０８、Ｆ０４Ｄ２９／５２、Ａ６１Ｌ９／１４）
【特許文献２】特開２００７−３７５８９号公報（国際特許分類：Ａ６１Ｌ９／１４、Ａ６１Ｌ９／０１、Ｃ０２Ｆ１／４６）
【発明の概要】
【発明が解決しようとする課題】
【０００６】
本発明は、電解水ミストによる除菌や脱臭の機能を扇風機に持たせるとともに、電解水ミストを速やかに室内に行き渡らせることができるようにすることを目的とする。
【課題を解決するための手段】
【０００７】
上記目的を達成するために、本発明に係る扇風機は、前ガードのセンターリムに電解水ミスト発生器を取り付けたことを特徴としている。
【０００８】
この構成によると、扇風機が送り出す風に電解水ミストが混入し、室内空気の除菌や脱臭が達成される。電解水ミストは、特許文献１の構成のように支柱から立ち昇らせるのでなく、送り出す風の中心で発生させるものであるから、直ちに風に巻き込まれて遠くまで届く。このため、生成直後で効力が強い電解水のミストを、部屋の隅々まで速やかに行き渡らせて、除菌と脱臭を行うことができる。
【０００９】
また本発明は、上記構成の扇風機において、前記電解水ミスト発生器は、水槽と、前記水槽内の水を電解水とする電極と、前記水槽内の電解水をミスト化する超音波振動子を含むことを特徴としている。
【００１０】
この構成によると、水を補給するだけで電解水ミストを発生させることができる。
【００１１】
また本発明は、上記構成の扇風機において、前記超音波振動子はメッシュ状であり、当該超音波振動子に、前記水槽から電解水を吸い上げるウィックを接触させることを特徴としている。
【００１２】
この構成によると、ミストを発生させるのに大きなエネルギーを要さないから、電解水ミスト発生器の動力源を電池とすることが可能になる。
【００１３】
また本発明は、上記構成の扇風機において、前記電解水ミスト発生器は前記前ガードにねじで固定され、その動作電流は当該扇風機から供給されることを特徴としている。
【００１４】
この構成によると、電解水ミスト発生器が必要とするだけの動作電流をいつでも扇風機から供給することができる。
【００１５】
また本発明は、上記構成の扇風機において、前記電解水ミスト発生器は内蔵電池を電源とすることを特徴としている。
【００１６】
この構成によると、扇風機から電解水ミスト発生器への配線が不要であるため、電解水ミスト発生器を前ガードに容易に配置することができる。
【００１７】
また本発明は、上記構成の扇風機において、前記電解水ミスト発生器は前記前ガードに着脱自在であることを特徴としている。
【００１８】
この構成によると、電解水ミスト発生器を扇風機から分離し、離れた場所で電解水ミストを発生させることができる。
【００１９】
また本発明は、上記構成の扇風機において、前記電解水ミスト発生器の筐体は、それを平面上に安定して立てることができる底面を有することを特徴としている。
【００２０】
この構成によると、電解水ミスト発生器を扇風機から分離して使用する際、電解水ミスト発生器を自立させることができる。
【００２１】
また本発明は、上記構成の扇風機において、前記前ガードには、前記電解水ミスト発生器の取り外し跡がそのまま開口部となるのを防ぐカバーが設けられていることを特徴としている。
【００２２】
この構成によると、電解水ミスト発生器を取り外しても前ガード中心に開口部が生じないので、開口部から子供が手を突っ込んだり、物体が入り込んだりするという不測の事態を招くことがなく、扇風機の安全性が高まる。
【００２３】
また本発明は、上記構成の扇風機において、前記電解水ミスト発生器は当該扇風機のリモートコントローラで動作制御されることを特徴としている。
【００２４】
この構成によると、扇風機のリモートコントローラで電解水ミスト発生器も操作できるので、操作が楽である上、扇風機の製造コストも節減できる。
【００２５】
また本発明は、上記構成の扇風機において、前記電解水ミスト発生器は、電解水を貯める水槽と、下部を前記水槽内の電解水に浸し、上部を当該扇風機の送風路中に置いた状態で回転自在に保持されている多孔ディスクと、当該扇風機の送風を受けて前記多孔ディスクに回転力を与える風車を含むことを特徴としている。
【００２６】
この構成によると、多孔ディスクに形成された電解水の水膜が風圧で破れることによってミストが形成されるので、超音波振動子は不要であり、それを駆動する電力も不要となる。また風車が多孔ディスクを回転させるので、多孔ディスク回転用のモータが不要であり、それを駆動する電力も不要となる。これにより、電解水ミスト発生器の製造コストとランニングコストを低減できる。
【００２７】
また本発明は、上記構成の扇風機において、前記電解水ミスト発生器の正面形状を略円形にしたことを特徴としている。
【００２８】
この構成によると、電解水ミスト発生器の形状が前ガードにマッチし、電解水ミスト発生器をオーナメント代わりとすることができる。
【発明の効果】
【００２９】
本発明によると、扇風機が送り出す風の中心で電解水ミストを発生させるから、生成直後の効力の強い電解水のミストが直ちに風に巻き込まれ、部屋の隅々まで速やかに行き渡る。このため、室内の除菌や脱臭を効果的に行うことができる。
【図面の簡単な説明】
【００３０】
【図１】本発明の第１実施形態に係る扇風機の概略構造を示す部分側面図である。
【図２】図１の扇風機の前ガードの正面図である。
【図３】図１の扇風機の前ガードの正面図で、電解水ミスト発生器の部分を断面して示したものである。
【図４】図１の扇風機の前ガードの正面図で、電解水ミスト発生器を取り外した状態を示すものである。
【図５】第１実施形態に係る扇風機の回路ブロック図である。
【図６】本発明の第２実施形態に係る扇風機の概略構造を示す部分側面図である。
【図７】図６の扇風機の前ガードの正面図で、電解水ミスト発生器の部分を断面して示したものである。
【図８】図７の電解水ミスト発生器の拡大断面図である。
【図９】図７の電解水ミスト発生器の拡大断面図で、図８と直角の方向に切断したものである。
【図１０】図９と同様の電解水ミスト発生器の拡大断面図で、本体から電池交換蓋と電池を分離した状態を示すものである。
【図１１】第２実施形態に係る扇風機の回路ブロック図である。
【図１２】本発明の第３実施形態に係る扇風機の概略構造を示す部分側面図である。
【図１３】図１２の扇風機の前ガードの正面図である。
【図１４】図１２の扇風機の前ガードの正面図で、電解水ミスト発生器の部分を断面して示したものである。
【図１５】本発明の第４実施形態に係る扇風機の概略構造を示す部分側面図である。
【図１６】図１５の扇風機から電解水ミスト発生器を取り外した状態を示す部分側面図である。
【図１７】図１５の扇風機の前ガードの正面図である。
【図１８】図１５の扇風機から取り外した電解水ミスト発生器の拡大正面図である。
【図１９】図１８の電解水ミスト発生器から給水キャップを取り外した状態の拡大正面図である。
【図２０】本発明の第５実施形態に係る扇風機の概略構造を示す部分側面図である。
【図２１】図２０の扇風機の前ガードの正面図である。
【発明を実施するための形態】
【００３１】
第１実施形態に係る扇風機の構造を図１に示す。扇風機１は、スタンド２（図１にはその上端部のみ示す）の上端にネック部３を俯仰可能に取り付け、ネック部３は支軸４によりモータケース５を回転可能に支持している。ネック部３とスタンド２の間には図示しないクリックストップ機構が設けられており、ネック部３は一定の角度範囲内で段階的に附仰角を変えることができる。モータケース５は首振り機構を内蔵していて、使用者が「首振り」の選択操作を行えば、モータケース５は支軸４を中心とした首振りを行う。これらの機構は周知なので詳細な説明は省略する。
【００３２】
モータケース５の正面（扇風機１の風を受ける使用者に向き合う側を「正面」とし、その反対側を「背面」とする。他の構成要素に関する「正面」「背面」も同じ意味で用いるものとする）からは、モータケース５に内蔵された図示しないモータの出力軸６が突出する。出力軸６にはファン７が固定される。ファン７を背面側から覆う後ガード８がモータケース５に取り付けられ、後ガード８にはファン７を正面側から覆う前ガード９が取り付けられる。
【００３３】
後ガード８及び前ガード９の主体をなすのは、所定ピッチで放射状に配置された複数の金属線である。前ガード９の中心には金属板をプレス成型したリング状部品であるセンターリム９ａが配置され、金属線に溶接固定される。センターリム９ａにはファン７の中心部を覆い隠すオーナメントディスクが取り付けられることが多いが、本発明ではここに電解水ミスト発生器を配置する。
【００３４】
第１実施形態の電解水ミスト発生器１０Ａは正面形状が略円形となった合成樹脂製の筐体１１を有する。センターリム９ａには、図４に示すように、１２０°間隔で３個の貫通穴９ｂが形成されており、前ガード９の背面側から貫通穴９ｂに通されるねじ９ｃ（図１参照）を計３本筐体１１にねじ込むことにより、電解水ミスト発生器１０Ａは前ガード９にしっかりと固定される。
【００３５】
筐体１１は大きく分けて２つの部分からなる。その１は筐体１１のほぼ上半分を占める水槽１２であり、その２は筐体１１の残りの部分を占める電装室１３である。水槽１２の中央には内部の水位を目視で確認するための窓１２ａが形成されている。窓１２ａには透明合成樹脂製のレンズが嵌め込まれる。
【００３６】
水槽１２の正面から見て右側の天井壁からは１対の電極１４が垂下する。左側の天井壁には給水口１５が形成される。給水口１５はねじ式のキャップ１６で密閉される。
【００３７】
筐体１１の天井壁の中央にはミスト放出口１７が形成される。ミスト放出口１７の底に近い箇所には、ミスト放出口１７を覆う形で、例えば特開平６−３２００８３号公報に見られるような、多数の微少な貫通穴を有する所謂メッシュ状の超音波振動子１８が取り付けられる。超音波振動子１８と水槽１２の底壁の間には毛細管現象で水を吸い上げるウィック（灯心）１９が配置される。ウィック１９の上端は超音波振動子１８の下面に接触し、吸い上げた水を超音波振動子１８に供給する。このように水をウィック１９で吸い上げて超音波振動子１８に供給する仕組みを採用することにより、水槽１２内の水位を気にする必要がなくなる。
【００３８】
電装室１３には電子回路基板２０が収納される。電子回路基板２０には後ガード８と前ガード９の内側に配線されたリード線２１（図１参照）を通じて扇風機１の本体側から給電が行われる。
【００３９】
電子回路基板２０には、図５の回路ブロックの中で、超音波部２２と電解部２３が形成されている。超音波部２２は超音波振動子１８を発振させるものであり、電解部２３は電極１４に所定の電圧を所定の印加パターンで印加するものである。
【００４０】
図５に示す扇風機制御装置３０は、スタンド２に収納される図示しない電子回路基板に形成されるものであり、超音波部２２と電解部２３もそれにより制御される。扇風機制御装置３０には、リモートコントローラ３１からの信号を受信する受信部３２と、スタンド２の適所に配置された手動操作用の操作部３３と、モータケース５の中のモータ３４と、扇風機１が転倒した時にモータ３４の回転を止める非常スイッチ３５が接続されている。３６は各構成要素に電力を供給する商用電源である。
【００４１】
扇風機１の動作は次の通りである。リモートコントローラ３１または操作部３３を操作してモータ３４を駆動すれば、ファン７による送風を行うことができる。ここで、水槽１２に所定量の水を注水しておき、電解部２３より１対の電極１４に所定の電圧（例えば１０Ｖ）を印加すると、水槽１２の中の水が電気分解されて電解水となる。
【００４２】
電圧の印加は、１対の電極１４が断続的に（例えば１時間毎に３〜１０分程度）交互に逆極性となるように行われる。水が塩素を含む水道水であれば、次のような電気化学反応が生じる。
＜陽極側＞
４Ｈ２Ｏ−４ｅ−→４Ｈ＋＋Ｏ２↑＋２Ｈ２Ｏ
２Ｃｌ−→Ｃｌ２＋２ｅ−
Ｈ２Ｏ＋Ｃｌ２←→ＨＣｌＯ＋Ｈ＋＋Ｃｌ−
＜陰極側＞
４Ｈ２Ｏ＋４ｅ−→２Ｈ２↑＋４ＯＨ−
＜電極間＞
Ｈ＋＋ＯＨ−→Ｈ２Ｏ
上記反応により、除菌作用と脱臭作用のある次亜塩素酸（ＨＣｌＯ）や活性酸素を含む電解水が生まれる。
【００４３】
超音波部２２を駆動して超音波振動子１８を発振させると、ウィック１９により吸い上げられて超音波振動子１８に接触している電解水が超音波エネルギーでミストとなり、ミスト放出口１７から放出される。放出された電解水ミストはファン７が送り出す風に直ちに巻き込まれ、吹き出される。このため、生成直後で効力が強い電解水のミストを、部屋の隅々まで速やかに行き渡らせて、除菌と脱臭を行うことができる。
【００４４】
電解水ミスト発生器１０Ａの動作電流は扇風機１の本体側から供給されるので、必要な電流をいつでも供給することができる。また、扇風機１のリモートコントローラ３１で電解水ミスト発生器１０Ａも操作できるので、操作が楽である上、扇風機の製造コストも節減できる。
【００４５】
水槽１２内の水位が許容レベル以下に低下したら、電極１４への電圧印加、超音波振動子１８の発振、及びモータ３４の回転を、いずれも停止させる。そしてキャップ１６を取り外し、給水口１５より水槽１２に水道水を補給する。その後、扇風機１の運転を再開する。水槽１２内の水位が許容レベル以下に低下した時、電極１４への電圧印加と超音波振動子１８の発振が自動的に停止するように構成してもよい。
【００４６】
電解水ミスト発生器１０Ａはねじ９ｃで前ガード９に固定されているので、前ガード９が向きを変える以上に大きく姿勢変更することはない。このため、水槽１２内の水位変動は比較的小さい。このことは、超音波振動子１８が、ウィック１９を組み合わせるメッシュ状のものでなく、自身が水の中に入ってミストを形成する水没式のものであったとしても、水位変動で水から露出し、いわゆる「空焚き」状態となる危険が少ないということを意味する。このため、水没式の超音波振動子も使用可能である。
【００４７】
また、扇風機１に設けた非常スイッチ３５を電解ミスト発生器１０Ａの非常スイッチにも兼用できるので、非常スイッチの設置に起因する電解ミスト発生器１０Ａの大型化を防ぐことができる。
【００４８】
次に、図６から図１１までの図に基づき本発明の第２実施形態を説明する。第２実施形態では、電解水ミスト発生器１０Ｂの必要とする電力を内蔵電池によってまかなう。すなわち、電装室１３の内部には電池ホルダ１３ａが形成され、ここに保持された電池２４が電子回路基板２０の電源となる。超音波振動子１８はメッシュ状であり、それにウィック１９を接触させる構造であるから、ミストを発生させるのに大きなエネルギーを要さず、電池２４による超音波振動子１８の駆動が可能である。また、扇風機１から電解水ミスト発生器１０Ｂへの配線が不要なので、電解水ミスト発生器１０Ｂを前ガード９に容易に配置することができる。
【００４９】
なお、電子回路基板２０には、図１１に示す通り、超音波部２２と電解部２３だけでなく、扇風機制御装置３０から独立した電解水ミスト発生器制御装置２５と、受信部２６が形成されている。これにより電解水ミスト発生器１０Ｂは、リモートコントローラ３１からの指令を受けて、扇風機１の運転に関係無く、独立した動作を行うことになる。
【００５０】
電池２４が消耗したときは、扇風機１を停止状態にし、電解水ミスト発生器１０Ｂを前ガード９から取り外す。そして図１０に示すように、電装室１３の背面側に設けられた電池蓋１３ｂを取り外し、消耗した電池２４を取り除く。新しい電池２４を電池ホルダ１３ａにはめ込んだ後、電池蓋１３ｂで再び蓋をし、電解水ミスト発生器１０Ｂを前ガード９に取り付けて、扇風機１の使用を再開する。
【００５１】
次に、図１２から図１４までの図に基づき本発明の第３実施形態を説明する。第３実施形態は第２実施形態の変形実施態様と言うべきものである。すなわち、電池蓋１３ｂが電装室１３の背面側にではなく正面側に設けられている点が第２実施形態と異なる。この構成により、電解水ミスト発生器１０Ｃを前ガード９に取り付けたままでの電池交換が可能になる。
【００５２】
次に、図１５から図１９までの図に基づき本発明の第４実施形態を説明する。第４実施形態は、電解水ミスト発生器１０Ｄを前ガード９から簡単に取り外せるようにした点が特徴となっている。すなわち電解水ミスト発生器１０Ｄは第２実施形態の電解水ミスト発生器１０Ｂと同じ構造を備えるが、ねじ９ｃで前ガード９に固定されるのでなく、前ガード９のセンターリム９ａに固定された支持ブラケット２７に着脱可能に支持されるものである。
【００５３】
図１７に示すように、支持ブラケット２７は正面側に突き出す３本の腕を有する。１本は電解水ミスト発生器１０Ｄを下から支える腕２７ａである。残り２本は、電解水ミスト発生器１０Ｄを上から押さえる、左右対称的に配置された腕２７ｂである。腕２７ａ、２７ｂは、先端が少しすぼまった形になっており、ここに電解水ミスト発生器１０Ｄを押し付けると腕同士が開き、電解水ミスト発生器１０Ｄを押し込むことができる。押し込み後の状態を図１５、１７に示す。この状態の電解水ミスト発生器１０Ｄを指でつまんで引っ張れば、腕２７ａ、２７ｂが開き、図１６に示すように電解水ミスト発生器１０Ｄを引き抜くことができる。引き抜いた電解水ミスト発生器１０Ｄは扇風機１から離れた場所、例えば自動車の中や机の上に置いて、そこで電解水ミストを発生させることができる。
【００５４】
扇風機１から離れた場所で使用する際の電解水ミスト発生器１０Ｄの電源は電池２４に限定されない。別売の電源アダプターを用いる構成とすることも可能である。
【００５５】
電解水ミスト発生器１０Ｄを取り外した跡が開口部として残ると、そこから子供が手を突っ込んだり、物体が入り込んだりするという懸念が生じる。そこで、電解水ミスト発生器１０Ｄの取り外し跡が開口部となるのを防ぐカバーを前ガード９に設ける。本実施形態では、支持ブラケット２７にカバー２８を一体形成する。すなわち、支持ブラケット２７はディスク状のベースを有し、このベースがカバー２８となる。
【００５６】
本実施形態のカバー２８は穴のないディスクであるが、格子状の穴を設けてもよい。また、複数の金属線を平行に並べてカバー２８とすることもできる。
【００５７】
電解水ミスト発生器１０Ｄの筐体１１は、腕２７ａで支えやすくする目的もあって、図１８に示すように、底面が平面１１ａとなっている。このため、支持ブラケット２７から取り外した電解水ミスト発生器１０Ｄをテーブル等の平面の上に置けば、そこで自立させることができる。電解水ミスト発生器１０Ｄを扇風機１から離れた場所に置いて電解水ミストを発生させるときにこの構造は便利である。
【００５８】
本実施形態では、平面１１ａに、紙面奥行き方向に延びるうね状の突起１１ｂが左右方向に分散する形で計３個形成されている。突起１１ｂの存在は電解水ミスト発生器１０Ｄの自立状態を安定させるのに役立つ。
【００５９】
次に、図２０、２１に基づき本発明の第５実施形態を説明する。第５実施形態の電解水ミスト発生器１０Ｅは、第１実施形態の電解水ミスト発生器１０Ａと同様、前ガード９の
センターリム９ａにねじ９ｃで固定されるものであるが、電解水ミストの発生の仕組みがこれまでの実施形態と異なる。すなわち電解水ミスト発生器１０Ｅはリング状の筐体４０を有し、筐体４０は、下から三分の一程度の高さまでは水槽４０ａ、そこから上は通風部４０ｂ（図２１参照）となっている。筐体４０の中心には軸受部４１があり、ここに多孔ディスク４２が回転自在に支持される。多孔ディスク４２は中心に風車４３を有し、それを取り囲むように多数の小孔４２ａが形成されている。小孔４２ａを形成した部分が、水槽４０ａの中の電解水に浸る。
【００６０】
ファン７が風を送り出すと、それを受けた風車４３にトルクが発生し、これにより多孔ディスク４２が回転する。多孔ディスク４２は小孔４２ａに水膜が張った状態で引き上げられ、それが通風部４０ｂに入ると風圧で水膜が破れてミストが発生する。従って超音波振動子は不要であり、それを駆動する電力も不要となる。また風車４３が多孔ディスク４２を回転させるので、多孔ディスク回転用のモータが不要であり、それを駆動する電力も不要となる。このため、電解水ミスト発生器１０Ｅは、他の実施形態の電解水ミスト発生器に比べて製造コストとランニングコストを低減できる。
【００６１】
水槽４０ａの中の電解水は、外部で生成したものを注いでもよく、あるいは水槽４０ａの内部に電極を設けてその場で生成するようにしてもよい。
【００６２】
上記各実施形態の電解水ミスト発生器１０Ａ、１０Ｂ、１０Ｃ、１０Ｄ、１０Ｅは、いずれも、正面形状が略円形とされているので、前ガード９の形状に良くマッチし、オーナメント代わりとすることができる。
【００６３】
以上、本発明の実施形態につき説明したが、本発明の範囲はこれに限定されるものではなく、発明の主旨を逸脱しない範囲で種々の変更を加えて実施することができる。
【産業上の利用可能性】
【００６４】
本発明は、扇風機に広く利用可能である。
【符号の説明】
【００６５】
１    扇風機
７    ファン
８    後ガード
９    前ガード
９ａ  センターリム
９ｃ  ねじ
１０Ａ、１０Ｂ、１０Ｃ、１０Ｄ、１０Ｅ  電解水ミスト発生器
１１  筐体
１２  水槽
１３  電装室
１４  電極
１５  給水口
１６  キャップ
１７  ミスト放出口
１８  超音波振動子
１９  ウィック
２４  電池
２７  支持ブラケット
２８  カバー
３１  リモートコントローラ
４０  筐体
４０ａ  水槽
４０ｂ  通風部
４２  多孔ディスク
４３  風車
【図１】
2011137396.tif 000003
【図２】
2011137396.tif 000004
【図３】
2011137396.tif 000005
【図４】
2011137396.tif 000006
【図５】
2011137396.tif 000007
【図６】
2011137396.tif 000008
【図７】
2011137396.tif 000009
【図８】
2011137396.tif 000010
【図９】
2011137396.tif 000011
【図１０】
2011137396.tif 000012
【図１１】
2011137396.tif 000013
【図１２】
2011137396.tif 000014
【図１３】
2011137396.tif 000015
【図１４】
2011137396.tif 000016
【図１５】
2011137396.tif 000017
【図１６】
2011137396.tif 000018
【図１７】
2011137396.tif 000019
【図１８】
2011137396.tif 000020
【図１９】
2011137396.tif 000021
【図２０】
2011137396.tif 000022
【図２１】
2011137396.tif 000023